(57)【特許請求の範囲】
【請求項１】
内部に連続形成したリブにより複数のブロック嵌合部を有して上面を開放し、盛土又は掘削した地山により形成される路床或いは該路床上に敷設される路盤上に設置されるプレート状の１ないし複数のプレキャスト板と、該プレキャスト板のブロック嵌合部に１ないし複数並べて嵌着される板状のブロックよりなる道路構造において、前記プレキャスト板の側溝側の側壁には側溝に通ずる開口した排水口を有し、プレキャスト板上に溜まる水の水位が前記リブの高さを越えると、水が該リブを越えて隣のブロック嵌合部から更に隣のブロック嵌合部へと流入し、前記排水口より排出されることを特徴とする道路構造。
【請求項２】
ブロックが透水性で、下面が上面より面積が小さく、ブロック内又はブロック間に水が溜まる隙間が形成できるようにしたことを特徴とする請求項１記載の道路構造。
【発明の詳細な説明】
【技術分野】
【０００１】
本発明は、公園や広場、道路等を構成する現場での施工が容易な道路構造に関する。
【背景技術】
【０００２】
舗装道路には大別すると、アスファルト舗装道路とコンクリート舗装道路がある。前者のアスファルト舗装道路の構造は、図１に示すように盛土又は地山を掘削して転圧し、或いは突き固めた路床１と、路床上に形成され、クラッシャラン、鉄鋼スラグ、砂等を敷設して転圧した下層路盤２及び砕石、砂利等を敷設して転圧した上層路盤３と、該路盤上に形成され、アスファルト混合物を敷設して転圧した基層４及びアスファルトを敷設して転圧した表層５よりなっている。
【０００３】
後者のコンクリート舗装道路の構造は、図２に示すように、図１に示すアスファルト舗装道路の構造において、アスファルト基層４及び表層５に代えてコンクリート盤６を設けたもので、コンクリート盤６は上層路盤３上に型枠を設置したのちコンクリートを打ち込んで形成される。コンクリート盤６は、上層路盤３上に薄いアスファルト混合物の層を敷設したのち、その上に形成されることもある。
【０００４】
上述する道路構造は、主として車道に用いられている。道路構造としては、このほか主として歩道用のものや、公園や広場などの歩道専用のものであるが、路床上にインターロッキングブロックと称されるコンクリートブロック塊やコンクリートパネル（以下、単にコンクリートブロックという）を敷き詰めた構造のものも知られる。
【発明の開示】
【発明が解決しようとする課題】
【０００５】
上述する従来の舗装道路は、現場で施工するのに多くの工程を有し、期間も長くかかっていた。また地震時には、舗装道路ではアスファルトにヒビが入って通行の弊害や、道路の歪みや陥没などの浮き沈みが発生することもあり、これにより生ずるバリアで救急活動や防災活動の妨げとなったり、車椅子の被災者が避難場所に移動するのに妨げとなることがあり、そのために破壊されたアスファルト舗装道路を修復してライフラインの早期の復旧を必要とし、被災救急費用以外に舗装道路修復費用もかかり、余分なコストがかかって、需要者や自治体の負担も大きかった。また、降雨時において従来の舗装道路では、路面上を雨水が流れて水たまりを形成し、歩行を妨げることもあった。また、路面上を流れる雨水は道路に隣接する側溝にしか保留することができず、大量の降雨時には側溝の排水許容量を超えて溢れ、洪水を起こすことも、近年ではみられる。
【０００６】
一方、コンクリートブロックを敷き詰めた構造のものにおいては、施工は容易であるが、車両、ことに重量のある車両が走行するときや地震時に、コンクリートブロックが浮き沈みしてバリアができ、上記と同様の問題を生じる他、車両の走行や上述の浮き沈み現象による人工的、自然的且つ経過年数によって個々のコンクリートブロックにヒビ割れが生じることがあった。また、降雨時にコンクリートブロック間に流入した雨水がコンクリートブロック下の地面を掘削または地盤を緩ませるなどしてコンクリートブロックに浮き沈みを発生させ、さらに、コンクリートブロック間の隙間に雑草が生い茂って景観を損ねたり、雑草でコンクリートブロックが押し上げられることによりバリアができることがあり、上記と同様の余分なコストがかかって、需要者や自治体の負担も大きかった。また、降雨時においてコンクリートブロックは、雨水が地下に浸透する過程で雨水が飽和状態になると、コンクリートブロックの路面上を雨水が流れて水たまりを形成し、歩行を妨げることもあった。
【０００７】
本発明は、現場での施工が容易であり、しかも地震等によってもバリアを生じにくくして災害時の避難、救急や防災活動を可能にする他、車両重量や浮き沈み現象による人工的、自然的な破壊を防ぎ、耐用年数も従来より伸びる道路構造を提供することを目的とする。
【課題を解決するための手段】
【０００８】
請求項１に係わる発明は、内部に連続形成したリブにより複数のブロック嵌合部を有して上面を開放し、盛土又は掘削した地山により形成される路床或いは該路床上に敷設される路盤上に設置されるプレート状の１ないし複数のプレキャスト板と、該プレキャスト板のブロック嵌合部に１ないし複数並べて嵌着される板状のブロックよりなる道路構造において、前記プレキャスト板の側溝側の側壁には側溝に通ずる開口した排水口を有し、プレキャスト板上に溜まる水の水位が前記リブの高さを越えると、水が該リブを越えて隣のブロック嵌合部から更に隣のブロック嵌合部へと流入し、前記排水口より排出されることを特徴とする。
【０００９】
本発明で用いるプレキャスト板は、例えばコンクリート製、鋳鋼鉄製、ＦＲＰ製、硬質樹脂製などで、リブはブロックと同じ高さに形成されるか、或いはブロックより低く形成される。
【００１０】
ブロックは好ましくはコンクリート製、または、インターロッキングブロックであるが、桝状の枠にアスファルトを充填したものであってもよい。そしてその平面形状は、好ましくは長方形又は正方形の矩形状をなすが、四角形以外の多角形、円形或いは楕円形であってもよい。また、ブロックは廃材などのリサイクル材とセメント等の混合によって形成されたものでもよく、特にガラス質は、酸性雨を中和する働きがあることが業界の研究で知られていることから、廃材ガラスを混合した廃材使用のブロックも好ましい。
【００１１】
請求項２に係わる発明は、請求項１に係わる発明において、ブロックが透水性で、下面が上面より面積が小さく、ブロック内又はブロック間に水が溜まる隙間が形成できるようにしたことを特徴とする。
【００１２】
下面が上面より面積の小さなブロックとしては、ブロックが例えば平面視で矩形である場合、少なくともその一側面が段状、テーパ状、曲面状をなすもの、下面に凹溝を有するもの、複数の脚部を有するもの等を例示することができる。
【００１４】
排水口は、プレキャスト板に形成され、内外に通ずる開口であってもよいし、該開口に例えば格子状のグレーチングを取付けたり、多孔質のポーラス材を装着したものであってもよい。
【発明の効果】
【００１５】
請求項１に係わる発明の道路構造によると、盛土又は地山を掘削した路床或いは地盤上に１ないし複数のプレキャスト板を設置し、ブロック嵌合部にブロックを並べて嵌め込むだけで施工することができ、省力化と施工期間の短縮化を図ることができ、施工コストを低減させることができること、ブロックの１ないし複数はプレキャスト板のリブに保持されるためガタ付きがなく、またリブの高さをブロックの高さと同じにすれば、ブロック間に隙間をなくすことができること、その上を重量のある車両が通行したり、地震により地盤が歪むようなことがあっても、プレキャスト板上に置かれたブロックの破壊が起きにくく、かつ連なったブロック面が凸凹になりにくく滑らかになり、バリアを生じにくくするため、歩行時の躓きが生じにくくなる。また車両、ことに車椅子による移動を可能とし、路床上にブロックを敷き詰めた従来の道路構造に比べ、災害時の救急活動や防災活動、更には車椅子の被災者が避難場所へ避難するのが可能となること、ブロック間の隙間より雑草が生えて景観を損ねたり、雑草でブロックが押し上げられるようなことがないこと、降雨時にコンクリートブロック間に流入した雨水がコンクリートブロック下の地面を掘削して地盤を緩め、道路表面を凸凹にするようなことを防ぐことができること、ブロックを透水してプレキャスト板上に溜まる水はリブの高さまでプレキャスト板上に溜まるが、水位がリブの高さを越えると、水がリブを越え、隣のブロック嵌合部から更に隣のブロック嵌合部へと次々に流入したのち排水口より排出される。こうして路面上に水が溢れて水溜りができるのを防ぐことができ、またプレキャスト板内に水を保留した後、水が側溝に排水される構造であるため、側溝とプレキャスト板による水の排水又は貯水許容量が増し、洪水を防止できることなどの効果を奏する。
【００１６】
請求項２に係わる発明によると、ブロックは透水性があるため、路面に溜まる水を吸収して路面に水溜りができにくいうえ、保水が可能であり、しかもプレキャスト板上には、保水したブロックと、ブロックの形状で有する下部の段状、テーパ状、曲面状の隙間に適量の水を溜めることができるため、常時路面を冷却する効果を有し、ブロックとプレキャスト板の相乗効果によってヒートアイランド現象の緩和に寄与することができる。
【発明を実施するための最良の形態】
【００１８】
以下、本発明の実施形態について図面により説明する。
図３は、車道１１と、歩道１２と、車道１１と歩道１２を仕切る縁石１３と、歩道脇に設置される側溝１４よりなる道路を示すもので、歩道１２の道路構造は、図４に示すように路床１６と、該路床上に設置されるプレキャスト板１７と、該プレキャスト板１７に装填されるコンクリートブロック１８よりなり、プレキャスト板１７は例えばコンクリート製又は剛性の大なるＦＲＰ製で、上面を開放した長いプレート状をなし、内部が（プレキャスト板１７端部の側壁より高さの低い）格子状のリブ１９により仕切られて矩形状をなす多数のブロック嵌合部２１を形成している（図５参照）。そして側溝側の側壁下部には側溝１４に通ずる開口した排水口２２が形成されている。また，プレキャスト板１７は，同一形状のプレキャスト板を１ないし複数連結した構造であってもよい。図３に示す２０は溝蓋である。
【００１９】
コンクリートブロック１８は透水性で図６に示すように、四側面がそれぞれ段状をなして上下面とも矩形状をなすか、下面が上面より面積が小さくなっている。そして段状をなす各側面の下部の高さｈは、前記リブ１９と同じ高さで、下部より突出する上部の突出量ｄはリブ幅の１／２となっている。
【００２０】
本実施形態の歩道１２の施工は、従前のように盛土により或いは地山を掘削して路床１６を形成したのち、プレキャスト板１７を設置し、該プレキャスト板１７のブロック嵌合部２１にコンクリートブロック１８を縦及び横方向に並べて嵌め込む。ブロック嵌合部２１の長さ及び幅は、いずれもコンクリートブロック１８の長さ及び幅の整数倍となっており、しかもリブ１９は上述するように、ブロック１８の段状をなす下部の高さと同じで、リブ幅は上部の突出量ｄの１／２であるため、ブロック１８はブロック嵌合部２１に隙間なく縦横に嵌め込まれ、しかもリブ１９を覆い、隣接するブロック嵌合部２１に嵌め込まれるブロック１８とも隙間が形成されることがないようにしてある。ブロック嵌合部２１に嵌め込まれたコンクリートブロック１８間には、図４に示すようにブロック下部に隙間２３が形成されるが、この隙間はリブ幅と同じ幅のｄで、ブロック１８の前後左右に形成されるため、ブロック１８を嵌め込んだブロック嵌合部２１は水路となる幅ｄの隙間が縦横に形成されるようになる。
【００２１】
本実施形態の歩道の道路構造は以上のように構成され、歩道１２に降り注ぐ雨水のうち、コンクリートブロック１８を透過した雨水は、コンクリートブロック１８内で保水を保つとともに、隙間２３に溜められる。溜まった雨水は、水位がリブ１９に達すると、コンクリートブロック１８を透水して該リブ１９を越え、隣、更には次のブロック嵌合部２１に流入する。そして側溝脇のブロック嵌合部２１に達すると、該嵌合部２１の排水口２２より側溝１４に排水される。
【００２２】
本実施形態の道路構造によると、路床上にプレキャスト板１７を設置し、ブロック嵌合部２１にコンクリートブロック１８を並べて嵌め込むだけで施工することができること、地震で路床１６が歪むことがあっても、個々の大きさに成形されたプレキャスト板１７同士を、鉄板やボルトを使用して頑固に連結させることにより撓むことを防止でき、仮に撓みが発生したとしてもその撓みは緩やかで、個々のブロック間に段差ができるようなことはなく、歩行者が躓いたり、車椅子による移動の障害となることがないこと、緊急時には救急車や消防車を走行させて救急活動や防災活動を行うことも可能であること、コンクリートブロック間より雑草が生えることがなく、雑草により景観を損ねたり、コンクリートブロック１８が押し上げられて表面が凸凹になることがないこと、降雨時にコンクリートブロック間に流入した雨水がコンクリートブロック下の地面を掘削して地盤を緩め、道路表面を凸凹にするようなことがないこと、降雨時には水がブロックを浸透することにより路面に水溜りができにくいこと、ブロック間の隙間に溜まった水やブロック１８に溜まり保水される水が路面を冷却する効果を有し、ヒートアイランド現象を緩和させることができること、水の貯留はリブ１９の高さまで達すると、排水口２２より排水されるようになり、路面に溢れて水溜りができることがないこと等の効果を奏する。
【００２３】
本実施形態の道路構造は、歩道１２に関するものであるが、車道１１も同様に構成することができる。
【産業上の利用可能性】
【００２４】
本発明の道路構造は、歩道及び車道のいずれにも適用することができる。
【図面の簡単な説明】
【００２５】
【図１】アスファルト舗装の道路構造の断面図。
【図２】コンクリート舗装の道路構造の断面図。
【図３】道路の斜視図。
【図４】本発明に係わる歩道の道路構造の断面図。
【図５】プレキャスト板の平面図。
【図６】コンクリートブロックの斜視図。
【符号の説明】
【００２６】
１１・・車道
１２・・歩道
１３・・縁石
１４・・側溝
１６・・路床
１７・・プレキャスト板
１８・・コンクリートブロック
１９・・リブ
２０・・溝蓋
２１・・ブロック嵌合部
２２・・排水口
２３・・隙間
【図１】
0004691668.tif 000002
【図２】
0004691668.tif 000003
【図３】
0004691668.tif 000004
【図４】
0004691668.tif 000005
【図５】
0004691668.tif 000006
【図６】
0004691668.tif 000007